(57)【特許請求の範囲】
【請求項１】
取付板部（１１）に連結板部（１２）を９０度折曲して連設した一対の連結金具（１）、（１）の一方の連結金具（１）を取付板部（１１）をもって隣接するキャビネットの一方のキャビネットのフレーム（２）に他方の連結金具（１）を取付板部（１１）をもって他方のキャビネットのフレーム（２）に取り付けたうえ両連結板部（１２）、（１２）同士が対向する面に形成した凹部（１３）と凸部（１４）を嵌合して両連結板部（１２）、（１２）を連結する電気電子機器収納用キャビネットの連結構造であって、前記凹部（１３）と凸部（１４）を前記各連結金具（１）の連結板部（１２）に上下対称として設けて、両連結金具（１）、（１）を同一形状としたことを特徴とする電気電子機器収納用キャビネットの連結構造。
【発明の詳細な説明】
【０００１】
【発明の属する技術分野】
本発明は、電気・電子機器類を収納するキャビネット、ラックをフレーム同士により連結する電気電子機器収納用キャビネットの連結構造に関するものである。
【０００２】
【従来の技術】
従来の電気電子機器収納用キャビネットの連結構造は、図９に示すように隣合うキャビネットの対向するフレーム２、２同士を当接したうえ連結板３を両フレーム２、２の取付面に亘り添装したうえ該連結板をネジ止めして連結したものであった。
【０００３】
【発明が解決しようとする課題】
ところが、この従来のものにあっては、キャビネットの設置面が水平でない場合や、わずかに凹凸がある場合には、隣合うキャビネットのフレーム２、２の連結面や取付孔同士がズレて、バール等でフレーム２を持ち上げるなどして位置合わせを行って連結しなければならず連結作業が面倒であった。
【０００４】
【課題を解決するための手段】
前記の課題を解決するためになされた本発明の電気電子機器収納用キャビネットの連結構造は、取付板部に連結板部を９０度折曲して連設した一対の連結金具の一方の連結金具を取付板部をもって隣接するキャビネットの一方のキャビネットのフレームに他方の連結金具を取付板部をもって他方のキャビネットのフレームに取り付けたうえ両連結板部（１２）、（１２）同士が対向する面に形成した凹部（１３）と凸部（１４）を嵌合して両連結板部（１２）、（１２）を連結する電気電子機器収納用キャビネットの連結構造であって、前記凹部（１３）と凸部（１４）を前記各連結金具（１）の連結板部（１２）に上下対称として設けて、両連結金具（１）、（１）を同一形状としたことを特徴とするものである。
【０００５】
【発明の実施の形態】
次に、本発明の参考形態及び好ましい実施の形態を示す。
１、１は取付板部１１に連結板部１２を９０度折曲して連設した一対の連結金具であり、一方の連結金具１の連結板部１２には凹部１３が、他方の連結金具１の連結板部１２にはこの凹部１３に対向してこれと嵌合する凸部１４が設けられている。そして、両連結金具１、１は各取付板部１１、１１をもって隣合うキャビネットのフレーム２とフレーム２に取り付け、すなわち、取付板部１１に切り起こして形成した掛鉤部１１ａをフレーム２に設けた鉤孔部に係合するか取付板部１１に透設したネジ挿通孔１１ｂを使用してネジ止めするなど適宜の手段で取り付けたうえ各連結板部１２、１２に対向して設けた凹部１３と凸部１４を嵌合して両連結板部１２、１２に透設したボルト挿通孔１２ａ、１２ａにボルト１５を挿通し該ボルト１５にナット１６を螺合してフレーム２とフレーム２を連結している。なお、ボルト挿通孔１２ａ、１２ａは一方を角孔として角根ボルトを使用して、ナットを螺合する際に共回りするのを防止するものとしてもよい。
【０００６】
前記凹部１３と凸部１４にはそれぞれ傾斜部１３ａと傾斜部１４ａを設けることが好ましく、図１に示す第１の参考形態にあっては、凹部１３を連結板部１２に横方向に三角谷状に形成してその谷傾斜面を傾斜部１３ａとし、凸部１４を連結板部１２に横方向に三角山状に形成してその山傾斜面を傾斜部１４ａとしている。また、図２に示す第２の参考形態にあっては、凹部１３を連結板部１２に凹状円錐台形に形成してその傾斜面を傾斜部１３ａとし、凸部１４を連結板部１２に円錐台形に形成してその傾斜面を傾斜部１４ａとしている。
【０００７】
また、図３に示す第３の参考形態にあっては、一方の連結金具１の連結板部１２の両端を外向き傾斜させて連結板部１２全体で凹部１３を形成して外向き傾斜面を傾斜部１３ａとし、他方の連結金具１の連結板部１２の両端を内向き傾斜させて連結板部１２全体で凸部１３を形成して内向き傾斜面を傾斜部１３ａとしている。
【０００８】
また、図４〜図６に示す第４の参考形態にあっては、凹部１３を連結板部１２の両端に縦方向に三角谷状に形成してその谷傾斜面を傾斜部１３ａとし、凸部１４を連結板部１２の両端に縦方向に三角山状に形成してその山傾斜面を傾斜部１４ａとしている。そして、各凹部１３、１３の基端に切欠部１３ｂ、１３ｂを設けて該凹部１３、１３に嵌合する凸部１４、１４が縦方向にスライドできる構成とするとともに連結板部１２、１２に設けた連結用のボルト挿通孔１２の少なくとも一方を縦方向の長孔１２ａに形成して両連結金具１、１の位置がズレても連結できるものとしている。
【０００９】
また、図７、図８に示す実施形態にあっては、連結金具１の連結板部１２に上下対称に凹部１３と凸部１４を設けて取付板部１１を上下に対称形状とすることにより、同一形状の２個の連結金具１を上下逆にして連結板部を対向させてフレーム２、２に取り付ければよいので、一種類の連結金具により対応できるので、製品管理が容易なうえ金型が一つで製造できるので安価なものとなる。なお、この実施形態では取付板部１１の端部上下にフレーム２に係合する係合ベロ１７、１７を設けている。また、この実施形態においては連結板部１２の横方向とした三角谷状の凸部１４の大きさをこれが嵌合する連結板部１２の横方向とした凹部１３の大きさより小さく形成するとともにボルト挿通孔１２ａ、１２ａを縦方向の長孔して、該連結金具１、１を取り付けたキャビネットのフレーム同士にズレが生じた時にでも対応できるものとしている。
【００１０】
このように構成されたものは、フレーム２、２に取付板部１１、１１をもって取り付けられる連結金具１、１が連結板部１２、１２に形成した凹部１３と凸部１４を嵌合して連結されるので、該凹部１３と凸部１４が連結状態を強固なものとし、連結に使用するボルト、ナット等の止め具類に振動等により加わる力を少なくし止め具類の破損を防止できるもので、地震の際にも各キャビネットの揺れが収まる方向に力が働くものである。
【００１１】
また、凹部１３と凸部１４とに傾斜部１３ａと傾斜部１４ａを設けたものとすることにより、キャビネットの設置面の歪等で連結するフレーム２、２の連結金具取付面や取付孔同士がズレていた場合にあっても、ボルト１５、ナット１６を締め付ければ、傾斜部１３ａと傾斜部１４ａが相互に内側に入り込むように案内されて凹部１３と凸部１４が嵌合するので前記ズレを補正して連結することとなり、バール等でフレーム２を持ち上げるなどの位置合わせを必要としないため連結作業が容易なこととなる。
【００１２】
前記傾斜部１３ａと傾斜部１４ａは、図１に示す第１の参考形態のように、凹部１３を連結板部１２に横方向に三角谷状に形成してその谷傾斜面を傾斜部１３ａとし、凸部１４を連結板部１２に横方向に三角山状に形成してその山傾斜面を傾斜部１４ａとしているものにあっては、フレーム２、２の連結金具取付面や取付孔同士のズレが連結板部１１の縦方向の場合に対応するものである。
【００１３】
また、図２に示す第２の参考形態のように、凹部１３を連結板部１２に凹状円錐台形に形成してその傾斜面を傾斜部１３ａとし、凸部１４を連結板部１２に円錐台形に形成してその傾斜面を傾斜部１４ａとしているものにあっては、フレーム２，２の連結金具取付面や取付孔同士のズレが連結板部１１の縦方向及び横方向の場合にも対応できるものである。
【００１４】
また、図３に示す第３の参考形態のように、一方の連結金具１の連結板部１２の両端を外向き傾斜させて連結板部１２全体で凹部１３を形成して外向き傾斜面を傾斜部１３ａとし、他方の連結金具１の連結板部１２の両端を内向き傾斜させて連結板部１２全体で凸部１３を形成して内向き傾斜面を傾斜部１３ａとしているものにあっては、前記第１の実施形態と同様にフレーム２、２の連結金具取付面や取付孔同士のズレが連結板部１１の縦方向の場合に対応するものである。
【００１５】
また、図４〜図６に示す第４の参考形態のように、凹部１３を連結板部１２の両端に縦方向に三角谷状に形成してその谷傾斜面を傾斜部１３ａとし、凸部１４を連結板部１２の両端に縦方向に三角山状に形成してその山傾斜面を傾斜部１４ａとしているものにあっては、フレーム２、２の連結金具取付面や取付孔同士がズレが連結板部１１の横方向の場合に対応するものである。そして、各凹部１３、１３の基端に切欠部１３ｂ、１３ｂを設けて該凹部１３、１３に嵌合する凸部１４、１４が縦方向にスライドできる構成とするとともに連結板部１２、１２に設けた連結用のボルト挿通孔１２ａの少なくとも一方を縦方向の長孔に形成しすることにより、フレーム２、２の縦方向のズレを補正することなく連結できるものである。
【００１６】
また、図７、図８に示す実施形態のように、連結金具１の連結板部１２に上下対称に凹部１３と凸部１４を設けて取付板部１１を上下に対称とするものにあっては、同一形状の連結金具１を上下逆にして連結板部１２を対向させてフレーム２、２に取り付ければよいので、一種類の連結金具により対応できるので、製品管理が容易なうえ、金型が一つで製造できるので安価なものとなる。また、連結板部１２の横方向とした三角谷状の凸部１４の大きさとこれが嵌合する連結板部１２の横方向とした凹部１３の大きさより小さく形成することにより、連結するキャビネットのフレーム同士にズレが生じた時にでも対応できるものである。さらに、取付板部１１の端部上下にフレーム２に係合する係合ベロ１７を設けたことにより、位置決め、回り止めになるものである。
【００１７】
【発明の効果】
以上に説明したように、本発明の電気電子機器収納用キャビネットの連結構造は、フレームに取付板部をもって取り付けられる連結金具が連結板部に形成した凹部と凸部を嵌合して連結されるので、強固に連結されるものであり、また、凹部と凸部に傾斜部を形成することにより、キャビネットの設置面の歪等で連結するフレームの連結金具取付面や取付孔同士がズレていた場合にあっても、ボルトナットを締め付けることにより、傾斜部と傾斜部が相互に案内されて凹部と凸部が嵌合して前記ズレを補正して連結ので連結作業が容易なものなる。さらに一種類の連結金具により対応できるので、製品管理が容易なうえ、金型が一つで製造できるので安価なものとなる。
よって、本発明は従来の電気電子機器収納用キャビネットの連結構造の問題点を解決したもので、業界にもたらす益大なものである。
【図面の簡単な説明】
【図１】本発明の第１の参考形態を示す斜視図である。
【図２】本発明の第２の参考形態を示す一部切欠斜視図である。
【図３】本発明の第３の参考形態を示す斜視図である。
【図４】本発明の第４の参考形態を示す斜視図である。
【図５】本発明の第４の参考形態を示す平面図である。
【図６】本発明の第４の参考形態を示す正面図である。
【図７】本発明の実施形態を示す斜視図である。
【図８】本発明の実施形態を示す斜視図である。
【図９】従来例を示す斜視図である。
【符号の説明】
１  連結金具、２  フレーム、１１  取付板部、１２  連結板部、１３  凹部、
１３ａ  傾斜部、１４ａ  傾斜部
【図１】
0004565536.tif 000002
【図２】
0004565536.tif 000003
【図３】
0004565536.tif 000004
【図４】
0004565536.tif 000005
【図５】
0004565536.tif 000006
【図６】
0004565536.tif 000007
【図７】
0004565536.tif 000008
【図８】
0004565536.tif 000009
【図９】
0004565536.tif 000010